(57)【特許請求の範囲】
【請求項１】
軸筒内部にインクが充填された中綿を収容する収容部を形成し、前記軸筒を分割可能に構成して、その分割部に形成されるネジ部を螺合締結することで軸筒を一体的に構成するとともに、軸筒を分割することで該分割部に前記収容部の開口部を形成し、該開口部より収容部内の中綿へのインクの補充や中綿の交換を可能とした筆記具において、
分割された一方の軸筒の一方端部に、他方の軸筒の一方端部と螺合するための雌ネジ部と、軸筒内の気密性を保つための軸筒内周側シール部を設け、
分割された他方の軸筒の一方端部に、前記雌ネジ部と螺合する雄ネジ部と、前記軸筒内周側シール部と当接する軸筒外周側シール部を設け、
前記軸筒内周側シール部または軸筒外周側シール部の何れか一方のシール部に、円周方向全周に亘り凸部を連続的に形成し、
軸筒の分割部を螺合締結した状態で、前記凸部と他方のシール部とを圧接して、前記凸部によって他方のシール部に凹状の変形跡を形成することを特徴とする筆記具。
【請求項２】
軸筒内部にインクが充填された中綿を収容する収容部を形成し、前記軸筒を分割可能に構成して、その分割部に形成されるネジ部を螺合締結することで軸筒を一体的に構成するとともに、軸筒を分割することで該分割部に前記収容部の開口部を形成し、該開口部より収容部内の中綿へのインクの補充や中綿の交換を可能とした筆記具において、
分割された一方の軸筒の一方端部に、他方の軸筒の一方端部と螺合するための雌ネジ部と、軸筒内の機密性を保つための軸筒内周側シール部を設け、
分割された他方の軸筒の一方端部に、前記雌ネジ部と螺合する雄ネジ部と、前記軸筒内周側シール部と当接する軸筒外周側シール部を設け、
前記軸筒内周側シール部または軸筒外周側シール部の何れか一方のシール部に、円周方向全周に亘り凸部を連続的に形成するとともに、
他方のシール部に、少なくとも前記凸部と当接する範囲で円周方向全周に亘り前記凸部の形状に略相当する形状で凹んだ凹部を設けることを特徴とする筆記具。
【請求項３】
軸筒内部にインクが充填された中綿を収容する収容部を形成し、前記軸筒を分割可能に構成して、その分割部に形成されるネジ部を螺合締結することで軸筒を一体的に構成するとともに、軸筒を分割することで該分割部に前記収容部の開口部を形成し、該開口部より収容部内の中綿へのインクの補充や中綿の交換を可能とした筆記具において、
分割された一方の軸筒の一方端部に、他方の軸筒の一方端部と螺合するための雌ネジ部と、軸筒内周部の一部が突出した凸部を設け、
分割された他方の軸筒の一方端部に、前記雌ネジ部と螺合する雄ネジ部と、軸筒外周部の一部が突出した凸部を設け、
前記雌ネジ部と雄ネジ部との螺合終了時点で、前記凸部同士が当接し、乗り越えることでクリック音を発生することを特徴とする筆記具。
【請求項４】
軸筒内部にインクが充填された中綿を収容する収容部を形成し、前記軸筒を分割可能に構成して、その分割部に形成されるネジ部を螺合締結することで軸筒を一体的に構成するとともに、軸筒を分割することで該分割部に前記収容部の開口部を形成し、該開口部より収容部内の中綿へのインクの補充や中綿の交換を可能とした筆記具において、
分割された一方の軸筒の一方端部に、他方の軸筒の一方端部と螺合するための雌ネジ部と、軸筒内周部の一部が突出した凸部を設け、
分割された他方の軸筒の一方端部に、前記雌ネジ部と螺合する雄ネジ部と、軸筒外周部の一部が突出した凸部を設け、
前記雌ネジ部と雄ネジ部との螺合終了時点で、前記凸部同士が当接し、乗り越えることでクリック音を発生することを特徴とする筆記具。
【請求項５】
前記ネジ部は、多条ネジとすることを特徴とする請求項１乃至４のうちの何れか一項に記載の筆記具。
【発明の詳細な説明】
【０００１】
【発明の属する技術分野】
本発明は、筆記具の構造に関し、特に、軸筒を分割して軸筒内に収容される中綿を交換したり、中綿にインクを補充するタイプの筆記具に関するものである。
【０００２】
【従来の技術】
従来、筆記具において、軸筒内にインクを保有するために、インクが含浸された中綿を軸筒内に収容した中綿式筆記具が用いられている。
このような中綿式筆記具においては、軸筒内に中綿を収容し、且つ軸筒内を密閉する必要があり、そのために先軸と軸筒とを分割し、且つ固定する方式として、先軸と軸筒とを螺合締結する方式は既に知られている。この方式によると、インクが消耗した場合に中綿を交換したり、インクを補充することが可能となり、筆記具本体を引き続き再使用することが可能となる。
【０００３】
また、特開平９−２２１１５８号公報に開示されているように、軸筒と先軸とを螺合締結により分割可能とした筆記具の接続構造において、軸筒と先軸との接合部に、軸筒と先軸とを螺合するための螺合部と、軸筒内の機密性を保つためのシール部とを各々形成したものが提案されている。この構成によると、筆記具を分割可能に構成するとともに、軸筒内の機密性を保つことが出来るという利点がある。
【０００４】
【発明が解決しようとする課題】
しかしながら、上記従来例では、筆記具の分割部を螺合締結する際に、ネジ部を回して軸筒内部が完全にシールされるまで締め込む必要があるが、どの時点でシールされたかが確認できないため、必要以上に締結して余計な力を要することがあった。また、軸筒を構成する部品の多くは合成樹脂製であるため、必要以上の力が掛かると変形や破損につながる恐れもある。
【０００５】
本発明は、上記従来の問題点に鑑みてなされたものであって、簡単な構造で軸筒の分割、締結を可能にするとともに、軸筒内の気密性を保つことができ、且つ軸筒の締結終了時に、シール操作の終了をクリック音で確認できるようにした筆記具を提供することを目的とするものである。
【０００８】
【課題を解決するための手段】
請求項１の発明は、筆記具に係り、軸筒内部にインクが充填された中綿を収容する収容部を形成し、前記軸筒を分割可能に構成して、その分割部に形成されるネジ部を螺合締結することで軸筒を一体的に構成するとともに、軸筒を分割することで該分割部に前記収容部の開口部を形成し、該開口部より収容部内の中綿へのインクの補充や中綿の交換を可能とした筆記具において、
分割された一方の軸筒の一方端部に、他方の軸筒の一方端部と螺合するための雌ネジ部と、軸筒内の気密性を保つための軸筒内周側シール部を設け、分割された他方の軸筒の一方端部に、前記雌ネジ部と螺合する雄ネジ部と、前記軸筒内周側シール部と当接する軸筒外周側シール部を設け、前記軸筒内周側シール部または軸筒外周側シール部の何れか一方のシール部に、円周方向全周に亘り凸部を連続的に形成し、軸筒の分割部を螺合締結した状態で、前記凸部と他方のシール部とを圧接して、前記凸部によって他方のシール部に凹状の変形跡を形成することを特徴とするものである。
【０００９】
請求項１の発明によると、合成樹脂製の筆記具において、一方の軸筒の外周全周に亘り凸状シール部を設け、分割された軸筒を一体的に螺合締結する際に、前記ネジ部を完全に締結した状態で、時間の経過により、前記凸部と当接する他方の軸筒のシール部において、特に軸筒が合成樹脂である場合には、合成樹脂の塑性変形により前記凸部と当接する部位に該凸部に略相当する変形跡が付き、凹状のシール部を形成することができる。
【００１０】
なお、軸筒の組立直後は、凸部が当接されるシール部の表面には、直には凹部が形成されていないためクリック感やクリック音は生じないが、インク補充が必要になる頃には、筆記具を使用することで充分に時間が経過しているので、前記シール部には凸部による塑性変形が生じて、該凸部に略相当する変形跡が付き、凹状のシール部が形成される。これにより、分割された軸筒を一体的に螺合締結する際にクリック感およびクリック音を得ることができる。
こうして、軸筒を分割して収納部を開けてインク補充や中綿の交換を行い、再度軸筒のネジ部を締め込んだ際には、ネジ部の螺合締結終了位置でクリック音が発生し、シールポイントまで締めたことを確認することができる。
【００１１】
したがって、本発明によれば、筆記具の生産工程において、軸筒のシール部に凹部を形成する必要が無いため、製造コストの低減を図ることができ、さらに、正確な位置、つまり軸筒の螺合締結が終了した位置に確実に凹部を形成することができる。
【００１２】
また、請求項２の発明は、軸筒内部にインクが充填された中綿を収容する収容部を形成し、前記軸筒を分割可能に構成して、その分割部に形成されるネジ部を螺合締結することで軸筒を一体的に構成するとともに、軸筒を分割することで該分割部に前記収容部の開口部を形成し、該開口部より収容部内の中綿へのインクの補充や中綿の交換を可能とした筆記具において、分割された一方の軸筒の一方端部に、他方の軸筒の一方端部と螺合するための雌ネジ部と、軸筒内の機密性を保つための軸筒内周側シール部を設け、分割された他方の軸筒の一方端部に、前記雌ネジ部と螺合する雄ネジ部と、前記軸筒内周側シール部と当接する軸筒外周側シール部を設け、前記軸筒内周側シール部または軸筒外周側シール部の何れか一方のシール部に、円周方向全周に亘り凸部を連続的に形成するとともに、他方のシール部に、少なくとも前記凸部と当接する範囲で円周方向全周に亘り前記凸部の形状に略相当する形状で凹んだ凹部を設けることを特徴とするものである。
【００１３】
請求項２の発明によると、請求項１の発明において形成される塑性変形による凹部に略相当する凹状のシール部を予め軸筒に設けることにより、軸筒内部の収容部の気密性を保持するシール部を確実に構成できるとともに、組立当初から軸筒の螺合締結終了にシールポイントまで締めたことを確認できるクリック感やクリック音を得ることができる。
【００１４】
さらに、請求項３の発明は、軸筒内部にインクが充填された中綿を収容する収容部を形成し、前記軸筒を分割可能に構成して、その分割部に形成されるネジ部を螺合締結することで軸筒を一体的に構成するとともに、軸筒を分割することで該分割部に前記収容部の開口部を形成し、該開口部より収容部内の中綿へのインクの補充や中綿の交換を可能とした筆記具において、
分割された一方の軸筒の一方端部に、他方の軸筒の一方端部と螺合するための雌ネジ部と、軸筒内周部の一部が突出した凸部を設け、分割された他方の軸筒の一方端部に、前記雌ネジ部と螺合する雄ネジ部と、軸筒外周部の一部が突出した凸部を設け、前記雌ネジ部と雄ネジ部との螺合終了時点で、前記凸部同士が当接し、乗り越えることでクリック音を発生することを特徴とするものである。
【００１５】
請求項３の発明によれば、雄ネジ部が形成される一方の軸筒の軸外周部と、雌ネジ部が形成される他方の軸筒の軸筒内周部との螺合終了位置に各々凸部を形成することで、各々の軸筒の雄ネジ部と雌ネジ部との螺合終了時に、前記凸部同士が当接して乗り越えることでクリック音を発生して軸筒の螺合終了を確認することができる。
【００１６】
請求項４の発明は、軸筒内部にインクが充填された中綿を収容する収容部を形成し、前記軸筒を分割可能に構成して、その分割部に形成されるネジ部を螺合締結することで軸筒を一体的に構成するとともに、軸筒を分割することで該分割部に前記収容部の開口部を形成し、該開口部より収容部内の中綿へのインクの補充や中綿の交換を可能とした筆記具において、
分割された一方の軸筒の一方端部に、他方の軸筒の一方端部と螺合するための雌ネジ部と、軸筒内周部の一部が突出した凸部を設け、分割された他方の軸筒の一方端部に、前記雌ネジ部と螺合する雄ネジ部と、軸筒外周部の一部が突出した凸部を設け、前記雌ネジ部と雄ネジ部との螺合終了時点で、前記凸部同士が当接し、乗り越えることでクリック音を発生することを特徴とするものである。
【００１７】
請求項４の発明によれば、軸筒の螺合終了時にシール部より発生するクリック音と、分割された各々の軸筒に形成された凸部が当接して乗り越えることで発生するクリック音とにより、よりはっきりとしたクリック感を得ることができる。
【００１８】
さらに、また、請求項５の発明は、請求項１乃至４のうちの何れか一項に記載の筆記具において、軸筒に形成されるネジ部を多条ネジとすることを特徴とするものである。
請求項５の発明によると、前記ネジ部を多条ネジとすることで、ネジの回転当たりの軸心方向への移動量を大きくすることができるので、ネジ締結のネジ回転の最終回のみに、大きなクリック感を得ることができる。
【００１９】
例えば、軸筒の螺合締結時に複数回のクリック音やクリック感が発生すると、使用者が混乱し、どこまで軸筒を締め込んだら良いのか判断ができない。そこで、出来るだけクリック感を明確にする必要がある。そのためには、クリック音を発生させる凸部を軸筒の軸心方向に沿って大きく形成する必要があるが、ネジのピッチの長さより大きくすることができない。
そこで、ネジを２条ネジやそれ以上の多条ネジにすることにより前記凸部を軸心方向に沿って大きく形成することができる。
【００２０】
すなわち、筆記具の軸筒締結のように、ネジ部の径とシール部の径がほぼ同寸法で、且つシール性が要求される容器においては、ネジの締結時の締め付けトルクがシール部の接触による摩擦力により、回転に必要なトルクが大きくなり、小さいクリック感では使用者に明確にクリック感を感じられない。したがって、引っ掛かる凸部の軸心方向に沿った長さ寸法を大きくすることで、大きなクリック感を得ることができる。
【００２１】
【発明の実施の形態】
以下、本発明の実施形態を、図面を参照して詳細に説明する。
図１〜図５は発明を実施する形態の一例であって、図１は、本発明の第１実施形態に係るダブルタイプの中綿式筆記具の全体構成を示す側面断面図、図２は前記筆記具の軸筒の構成を示す側面断面図、図３は図１および図５のＡ部のシール部を示す部分拡大図、図４は前記シール部の構成を示す部分拡大図である。
【００２２】
本実施形態は、図１、図２に示すように、軸筒２の両端部に大小のペン芯８、９を備え、該軸筒２内部にインクが充填された中綿６を収容する収容部７を形成し、該軸筒２を２分割して収容部７内の中綿６へのインクの補充や中綿６の交換を可能とした２個のペン芯８、９を有するツインタイプの中綿式の筆記具１である。
【００２３】
前記軸筒２は、一方端に略円形断面を有する先細状の細字用ペン芯８が取付けられる細側端部３ａを備えた細側軸筒３と、他方端に矩形状断面を有し先端部がくさび状の太字用ペン芯９が取付けられる太側端部４ａを備えた太側軸筒４とに軸心方向で分割されたものであって、螺合締結により着脱可能とされている。
【００２４】
前記細側軸筒３は、図２に示すように、細側端部３ａと反対側に胴部３ｂが形成されている。前記細側軸筒３の内部には、中綿６の一部が収容される収容部３ｄが形成されている。前記収容部３ｄは、前記胴部３ｂ端部付近の開口３ｅの形状を中綿６の外形よりも大きく形成され、先端側内部空間３ｆの形状を中綿の外形と略同寸法で形成されている。
【００２５】
前記胴部３ｂは、略円筒形状を呈し、後述する太側軸筒４の胴部４ｂよりも短く形成され、細側端部３ａに近い一部が細側端部３ａに向かい先細のテーパ状に形成されるとともに、前記胴部３ｂの外周部には、円筒状の端部付近から細側端部３ａの基部付近の全周に亘り、外周面より一段低く凹部３ｈが形成され、その凹部３ｈの円筒状外周部とテーパ状外周部を覆うように弾性体である合成樹脂製のグリップ部１１が該胴部３ｂと一体的に形成されている。
【００２６】
前記胴部３ｂの反細側端部側には、段付き状に外径寸法が小さく形成された締結部３ｋが一体的に形成され、該締結部３ｋには、太側軸筒４側と螺合締結するための雄ネジ部３ｃが形成され、該雄ネジ部３ｃより先端部寄りに、軸筒２内の気密性を保つための軸筒外周側シール部３ｊが形成されている。前記雄ネジ部３ｃは、多条ネジにより形成されている。
【００２７】
前記軸筒外周側シール部３ｊは、図２、図３に示すように、先端部の外周面に、円周方向に沿って全周に亘り連続的に外側に向かい突出形成されおり、その形状は略円弧状断面形状を呈している。
【００２８】
前記太側軸筒４は、図２に示すように、太側端部４ａの反対側に胴部４ｂが形成されている。前記胴部４ｂは、略円筒形状を呈するとともに、その端部の内周部には細側軸筒３側と螺合締結するための雌ネジ部４ｃが形成され、その内部には中綿６の一部が収容される収容部４ｄが形成されている。前記雌ネジ４ｃは、多条ネジにより形成されている。
【００２９】
前記収容部４ｄは、図１、図２に示すように、前記胴部４ｂの内部空間４ｆの形状を開口４ｅから太側端部４ａ付近までの形状を中綿６の外形よりも大きい筒状とし、前記太側端部４ａの先端側内部空間４ｇの形状を中綿６の外形よりも狭い形状で、中綿６がきつい嵌合で装着されるように構成されている。
【００３０】
前記胴部４ｂの内周部には、図３に示すように、前記雌ネジ部４ｃよりさらに太側端部４ａ寄り（内部奥側）に、前記軸筒外周側シール部３ｊと当接して軸筒２内の気密性を保つための軸筒内周側シール部４ｊが形成されている。
前記軸筒内周側シール部４ｊは、前記胴部４ｂの内周面に、軸筒端部同士を螺合締結した状態で、少なくとも前記軸筒外周側シール部３ｊと当接する範囲で円周方向に沿って全周に亘り連続的に平坦に形成されている。
【００３１】
前記軸筒外周側シール部３ｊと軸筒内周側シール部４ｊとは、図４に示すように、互いに当接しない状態で、締め代を永久歪が発生する程度に、例えば、片側約０．１ｍｍ程度大きく設けることにより、後述する永久変形０．０７ｍｍ以内の寸法差、つまり直径寸法で約０．２ｍｍ程度になるように、前記軸筒外周側シール部３ｊが軸筒内周側シール部４ｊよりも大きく形成されている。
【００３２】
前記細字用ペン芯８および太字用ペン芯９は、図１に示すように、それぞれの端部が収容部７内で中綿６の両端部に各々嵌挿され、該中綿６に含浸されたインクが両端部より細字用ペン芯８および太字用ペン芯９に浸透してどちらのペン芯でも筆記可能となっている。
【００３３】
また、図１に示すように、細側端部３ａには、細字用ペン芯８を覆うように細側キャップ１３が着脱自在に装着され、太側端部４ａには、太字用ペン芯９を覆うように太側キャップ１４が着脱自在に装着されている。
前記細側キャップ１３は、その外径が太側キャップの外径よりも小さく形成されているので、両方のキャップ１３、１４を装着した状態であっても、一目でペン芯の太さが解かるようになっている。
【００３４】
次に、本実施形態の筆記具１による作用について説明する。
本実施形態に係る筆記具１は、図１に示すように、細側軸筒３側の雄ネジ部３ｃと太側軸筒４側の雌ネジ部４ｃとを螺合締結することで、細側軸筒３と太側軸筒４との接合部を密着させた状態で一体的に構成される。
【００３５】
ここで、細側軸筒３の先端部に形成された軸筒外周側シール部３ｊの外径は、太側軸筒４内部に形成された軸筒内周側シール部４ｊ内径よりも大きく形成されているが、図３に示すように、雄ネジ部３ｃと雌ネジ部４ｃとを螺合させることにより細側軸筒３が太側軸筒４内にねじ込まれるので、軸筒外周側シール部３ｊは軸筒内周側シール部４ｊ内に圧接した状態で嵌入される。
【００３６】
前記筆記具１は、使用して消耗したインクを補充するか中綿６を交換するまでの間は軸筒２を分割する必要が無いので、軸筒外周側シール部３ｊの平坦な面と軸筒内周側シール部４ｊの凸部とが圧接した状態で配置される。
【００３７】
太側軸筒４は合成樹脂で形成されているため、軸筒内周側シール部４ｊの平坦な面は、軸筒外周側シール部３ｊの凸部による圧し跡が付き、それが時間の経過により永久変形となって、前記凸部の当接部と略相当する形状の凹状のシール部が形成される。
【００３８】
これにより、筆記具1内の中綿６へのインクの補充や中綿６を交換する際に、軸筒２を細側軸筒３と太側軸筒４とに分割して、再び一体的に螺合締結する時に、細側軸筒３と太側軸筒４とを螺合するに連れて、軸筒内周側シール部４ｊに軸筒外周側シール部３ｊが嵌入され、細側軸筒３と太側軸筒４との締結が終了する時点で、軸筒内周側シール部４ｊに形成された凹状のシール部に軸筒外周側シール部の凸部が嵌合される（図３参照）。
【００３９】
この時、前記凸部は軸筒内周側シール部４ｊに嵌入されることで外に向う応力が溜まっている状態となっているので、凹状のシール部の僅かな段差に該凸部が入り込むときに、凸部の外周方向に向う弾性力によって瞬時に嵌合されるため、凸部と凹部とが衝突してクリック音を発生する。
こうして、軸筒２を細側軸筒３と太側軸筒４とに分割して、再び細側軸筒３と太側軸筒４とを螺合締結して軸筒２を一体的に構成する際に、螺合締結が終了する時点で、軸筒２内部のシール部が嵌合したことをクリック音により確認することができる。
【００４０】
以上のように構成したので、本実施形態の筆記具１によれば、軸筒２を細側軸筒３と太側軸筒４軸筒２との２分割構造として、細側軸筒３と太側軸筒４とを合成樹脂製とし、前記細側軸筒３に軸筒外周側シール部３ｊを設けるとともに、前記太側軸筒４に軸筒内周側シール部４ｊを設け、軸筒内周側シール部４ｊを平坦に形成し、前記軸筒外周側シール部３ｊの凸部を前記軸筒内周側シール部４ｊに圧接することで、軸筒内周側シール部４ｊの平坦部に前記凸部による圧し跡を形成し、時間の経過とともに塑性変形させて、前記凸部に略相当する凹状のシール部を形成することができる。
【００４１】
これにより、細側軸筒３と太側軸筒４とを螺合により一体的に締結する際に、螺合締結終了時点で、細側軸筒３側の凹状のシール部と太側軸筒４側の凸部とが嵌合するときに、クリック音を発生するとともにクリック感を得ることができ、シールポイントを確認することができる。
【００４２】
また、本実施形態によれば、前記太側軸筒４の軸筒内周側シール部４ｊを平坦な円筒状に構成し、細側軸筒３と太側軸筒４とを螺合締結が終了した時点で、軸筒外周側シール部３ｊの凸部により軸筒内周側シール部４ｊの平坦部に凹状のシール部を形成するようにしたので、部品製作時に、軸筒内周側シール部に凹状のシール部またはシール溝を形成する必要がないので、製造工程を削減できるとともに、製造コストの低減を図ることができる。
【００４３】
尚、本実施形態では、軸筒内周側シール部４ｊの凹部の深さは、永久変形で生じる０．０７ｍｍ以内の寸法差とする。本発明は、これに限定されるものではなく、その段差寸法が０．０２ｍｍ〜０．０７ｍｍの範囲であれば、効果的にクリック音やクリック感を得ることができる。
【００４４】
また、本実施形態の筆記具１は、軸筒２の構成を両端部に各々ペン芯８、９を配置したツインタイプの中綿式筆記具としているが、本発明は、筆記具の構成に限定されるものではなく、例えば、変形例１として、図５に示すように、軸筒１０２の分割される一方に軸筒端部にペン芯１０８を配置した、いわゆるシングルタイプの中綿式筆記具１００に採用したものであって良い。
【００４５】
図５中の符号の１０３はペン芯側軸筒、１０４は軸筒本体、６は中綿、１０７は収容部、１１３はキャップを夫々示す。また、図中のＡ部に示すネジ部およびシール部の構成は、前述した実施形態の筆記具１と同じ構成であって、詳細の説明は、前述した図３、図４および前述した筆記具１のネジ部とシール部の説明を参照するものとする。
【００４６】
次に、本発明の第２実施形態を、図面を参照して詳細に説明する。
図６は、本発明の第２実施形態に係る筆記具のシール部の構成を示す部分拡大図である。
第２実施形態は、前述した実施形態の筆記具１とほぼ同じ様な構成を備える筆記具であって、本実施形態の特徴として、図６に示すように、軸筒２０２を２分割構造として、分割された一方の細側軸筒２０３は、螺合するための雄ネジ部２０３ｃと、軸筒２０２内部の気密性を保つための軸筒外周側シール部２０３ｊとを備え、他方の太側軸筒２０４は、前記雄ネジ部２０３ｃと螺合する雌ネジ部２０４ｃと前記軸筒外周側シール部２０３ｊと当接する軸筒内周側シール部２０４ｊを備えるものである。
【００４７】
前記軸筒外周側シール部２０３ｊは、軸筒外周の円周方向全周に亘り凸部２０３ｊ１を連続的に形成し、前記軸筒内周側シール部２０４ｊに、前記凸部２０３ｊ１と当接する範囲で円周方向全周に亘り前記凸部２０３ｊ１の形状に略相当する形状で凹んだシール部２０４ｊ１を設けたものである。前記凹状のシール部２０４ｊ１は、圧入前の凹部の深さとシールが当接することにより発生した永久歪の凹部の深さを合計して平坦部より０．０２ｍｍ〜０．０７ｍｍ凹んだ位置に形成されている。
【００４８】
第２実施形態によれば、軸筒２０２のシール構造として、太側軸筒２０４に前述した実施形態の筆記具１おいて形成される塑性変形による凹部に略相当する凹状のシール部２０４ｊ１を予め設けたので、軸筒２０２内部の収容部７の気密性を確実に保持することができるとともに、組立当初から軸筒２０２の螺合締結終了位置で、シールポイントまで締めたことを確認できるクリック音やクリック感を得ることができる。
【００４９】
また、第２実施形態によれば、太側軸筒２０４の軸筒内周側シール部２０４ｊに予め軸筒外周側シール部２０３ｊの凸部２０３ｊ１が嵌合される凹状のシール部２０４ｊ１を形成したので、前述した実施形態のように前記凸部２０３ｊ１の頂点が軸筒内周側シール部２０４ｊの平坦部に長時間接していないので、凸部２０３ｊ１の形状が崩れることなく、したがって、シール部の装着感や抜け難くなる効果は経時的に減少することがないという利点がある。
【００５０】
さらに、第２実施形態によれば、前記凹状のシール部２０４ｊ１の凹部の深さを平坦部より深くしたので、クリック音やクリック感を明確にすることができる。
尚、本発明は、凹部の深さを、圧入前の凹部の深さが０．０２ｍｍ〜０．０５ｍｍの範囲であればクリック音やクリック感を充分得ることができる。
【００５１】
また、本実施形態では、軸筒２０２のシール部の構造を、細側軸筒２０３および太側軸筒２０４との螺合締結部に１箇所のみ形成したものとしているが、本発明は、シール箇所の数に限定されるものではなく、例えば、変形例２として、図７に示すように、軸筒３０２のシール部の構造として、細側軸筒３０３の先端部の２箇所に外径寸法の違う軸筒外周側シール部３０３ａ、３０３ｂを形成し、太側軸筒３０４の内周部の２箇所に前記軸筒外周側シール部３０３ａ、３０３ｂの各々に対向する位置に軸筒内周側シール部３０４ａ、３０４ｂを形成するようにしたものであっても良い。
【００５２】
この構成によると、前記実施形態と比較して２箇所で軸筒３０２内部を気密するように構成したので、さらシール性の向上を図り、確実に軸筒３０２内部の気密性を保つことができる。
【００５３】
次に、第３実施形態を、図面を参照して詳細に説明する。
図８〜図１４は、本発明の第３実施形態に係る筆記部の構成を示すものであって、図８は本発明の第３実施形態に係る筆記具の全体構成を示す側面断面図、図９は本発明の第３実施形態に係る筆記具の分割された細側軸筒の構成を示す斜視図、図１０は前記筆記具の太側軸筒の構成を示す斜視図、図１１の（ａ）は前記筆記具の太側軸筒の構成を示す側面断面図、（ｂ）は（ａ）のＢ部の凸部の詳細を示す部分拡大図、図１２の（ａ）は前記筆記具の太側軸筒の構成を示す側面断面図、（ｂ）は（ａ）のＣ部を示す部分拡大図、図１３の（ａ）は前記筆記具の太側軸筒端部の構成を示す正面図、（ｂ）は（ａ）のＤ部の凸部の詳細を示す部分拡大図、図１４の（ａ）は前記筆記具の軸筒に形成された凸部の位置関係を示す軸心方向断面図、（ｂ）は（ａ）のＥ部の凸部の位置関係を示す部分拡大図である。
尚、図中、従来と同様のものを示すものは、前出した図面の符号と同一の符号を付することで説明を省略するものとする。
【００５４】
第３実施形態の筆記具４００は、図８に示すように、軸筒４０２を細側軸筒４０３と太側軸筒４０４とに分割可能に構成して、該細側軸筒４０３と太側軸筒４０４とを螺合締結により一体的に構成する筆記具４００であって、前記細側軸筒４０３の一方の端部に軸筒外周部の一部が突出した凸部４０３ｄを設け、前記太側軸筒４０４の開口端部４０４ｅに軸筒内周部の一部が突出した凸部４０４ｄを設け、前記雄ネジ部４０３ｃと雌ネジ部４０４ｃとの螺合終了時点で、前記凸部４０３ｄ、４０４ｄ同士が当接し、乗り越えることでクリック音を発生するようにしたものである。
【００５５】
前記細側軸筒４０３は、図９、図１１の（ａ）、（ｂ）に示すように、一方側に細側端部４０３ａが形成され、その細側端部４０３ａと連続して胴部４０３ｂが形成され、さらに、該胴部４０３ｂの端部より段付き状に外径寸法が小さく形成された締結部４０３ｋが連続して形成されている。
【００５６】
前記締結部４０３ｋには、太側軸筒４側と螺合締結するための雄ネジ部４０３ｃが形成され、該雄ネジ部４０３ｃより先端部寄りに、軸筒２内の気密性を保つための軸筒外周側シール部４０３ｊが形成されている。前記雄ネジ部４０３ｃは、多条ネジにより形成されている。
【００５７】
前記胴部４０３ｂの締結部４０３ｋ側の側基部には、太側軸筒４０４と当接する当接面４０３ｍが形成されている。
【００５８】
前記軸筒外周側シール部４０３ｊには、その先端部の外周面に円周方向に沿って全周に亘り、外側に向かって連続的に凸部４０３ｊ１、４０３ｊ２が突出形成されている。
前記凸部４０３ｊ１、４０３ｊ２は、それぞれ略円弧状断面形状を呈し、凸部４０３ｊ１を凸部４０３ｊ２よりも先端側に配置するとともに、凸部４０３ｊ１の外径寸法を凸部４０３ｊ２の外径寸法よりも小さく形成されている。
【００５９】
前記締結部４０３ｋの当接面４０３ｍと雄ネジ部４０３ｃとの間の外周部には、外側に突出して略円弧状断面を呈する凸部４０３ｄが、外周を２分割する位置（１８０°の位置）に２箇所に形成されている。
【００６０】
前記太側軸筒４０４は、図１０、図１２の（ａ）、（ｂ）に示すように、太側端部４０４ａの反対側に胴部４０４ｂが形成されている。前記胴部４０４ｂは、略円筒形状を呈するとともに、その端部の内周部には細側軸筒４０３側と螺合締結するための雌ネジ部４０４ｃが形成され、その内部には中綿６の一部が収容される収容部４０４ｆが形成されている。前記雌ネジ部４０４ｃは、多条ネジにより形成されている。
【００６１】
前記太側軸筒４０４の端部の内周側には、図１２の（ａ）、（ｂ）、図１３の（ａ）、（ｂ）に示すように、内側に突出して略円弧状断面を呈する凸部４０４ｄが外周を２分割する位置（１８０°の位置）に２箇所に形成されるとともに、前記雌ネジ部４０４ｃより太側端部４０４ａ側に、前記軸筒外周側シール部４０３ｊに対応する軸筒内周側シール部４０４ｊが形成されている。
【００６２】
前記軸筒内周側シール部４０４ｊには、細側軸筒４０３と太側軸筒４０４とを一体的に螺合締結した状態で、前記軸筒外周側シール部４０３ｊの凸部４０３ｊ１、４０３ｊ２と対向する位置に平坦なシール面４０４ｊ１、４０４ｊ２が形成されている。
【００６３】
前記シール面４０４ｊ１、４０４ｊ２は、前記第１実施形態や第２実施形態のシール部形状と同様に構成されている。
【００６４】
次に、第３実施形態の筆記具４００による作用について説明する。
第３実施形態の筆記具４００の組立状態では、軸筒４０２は細側軸筒４０３側の雄ネジ部４０３ｃと太側軸筒４０４側の雌ネジ部４０４ｃとを螺合締結することで、細側軸筒４０３と太側軸筒４０４とを密着させた状態で一体的に構成される。
【００６５】
軸筒内部のシール部においては、前述した実施形態と同様に、細側軸筒４０３の先端部に形成された軸筒外周側シール部４０３ｊの凸部４０３ｊ１、４０３ｊ２の外径は、太側軸筒４０４内部に形成された軸筒内周側シール部４０４ｊのシール部４０４ｊ１、４０４ｊ２の内径よりも大きく形成されているが、雄ネジ部４０３ｃと雌ネジ部４０４ｃとを螺合させることにより細側軸筒４０３が太側軸筒４０４内にねじ込まれるので、軸筒外周側シール部４０３ｊは軸筒内周側シール部４０４ｊ内に圧接した状態で嵌入される。
【００６６】
そして、使用して消耗したインクを補充するか中綿６を交換するまでの間は軸筒を分割する必要がないので、軸筒内周側シール部４０４ｊの平坦なシール面４０４ｊ１、４０４ｊ２と軸筒外周側シール部４０３ｊの凸部４０３ｊ１、４０３ｊ２とが圧接した状態で配置される。
【００６７】
また、太側軸筒４０４は合成樹脂で形成されているため、軸筒内周側シール部４０４ｊの平坦なシール面４０４ｊ１、４０４ｊ２は、軸筒外周側シール部４０３ｊの凸部４０３ｊ１、４０３ｊ２による圧し跡が付き、それが時間の経過により永久変形となって、前記凸部の当接部と略相当する形状の凹部が形成される。
【００６８】
一方、軸筒４０２の細側軸筒４０３と太側軸筒４０４との当接部においては、図１４の（ａ）、（ｂ）に示すように、細側軸筒４０３と太側軸筒４０４との螺合締結終了時点で細側軸筒４０３の当接面４０３ｍと太側軸筒４０４の端部４０４ｍとが当接した状態で、細側軸筒４０３内側の凸部４０３ｄと太側軸筒４０４外側の凸部４０４ｄとが当接して、さらに、凸部４０３ｄが凸部４０４ｄを乗り越えた状態で配置される。
【００６９】
次に、前記軸筒４０２を細側軸筒４０３と太側軸筒４０４とに分割して、中綿へのインクの補充あるいは中綿の交換を行い、再び細側軸筒４０３と太側軸筒４０４とを螺合締結して軸筒４０２を一体的に構成する場合について説明する。
軸筒４０２内部のシール部においては、軸筒内周側シール部４０４ｊに軸筒外周側シール部４０３ｊが嵌入されて、螺合締結が終了する時点で、軸筒内周側シール部４０４ｊのシール面４０４ｊ１２、４０４ｊ２に形成された凹部に軸筒外周側シール部４０３ｊの凸部４０３ｊ１、４０３ｊ２が各々嵌合する時、その凹部に凸部４０３ｊ１、４０３ｊ２が衝突してクリック音を発生する。
【００７０】
一方、軸筒４０２の細側軸筒４０３と太側軸筒４０４との当接部においては、螺合締結が終了する時点で、細側軸筒４０３内側の凸部４０３ｄと太側軸筒４０４外側の凸部４０４ｄとが当接し、さらに、凸部４０３ｄが凸部４０４ｄを乗り越えた位置で、細側軸筒４０３の当接面４０３ｍと太側軸筒４０４の端部４０４ｍとが当接した状態となる。
【００７１】
ここで、図１４の（ｂ）に示すように、凸部４０３ｄが凸部４０４ｄを乗り越えて、再び太側軸筒４０４の内周部側に向う際に、凸部と内周部との間に僅かな隙間があっても、それぞれの凸部を乗り越える反力によって瞬時にもとの高さに戻るため、凸部と内周部とが衝突してクリック音を発生する。
【００７２】
こうして、軸筒４０２を細側軸筒４０３と太側軸筒４０４とに分割して、再び細側軸筒４０３と太側軸筒４０４とを螺合締結して軸筒４０２を一体的に構成する際には、螺合締結が終了する時点で、軸筒４０２内部のシール部が嵌合したことをクリック音により確認することができる。
【００７３】
以上のように構成したので、第３実施形態の筆記具４００によれば、細側軸筒４０３と太側軸筒４０４との連結部の螺合終了位置に各々凸部４０３ｄ、４０４ｄを形成したので、軸筒４０２の螺合締結終了時、すなわち、前記細側軸筒４０３の当接面４０３ｍと前記太側軸筒４０４の端部とが当接する位置で、前記凸部同士が当接してさらに乗り越えることでクリック音を発生して軸筒の螺合終了を明確に確認することができる。
【００７４】
また、第３実施形態によれば、前記軸筒４０２の構成を、前述した実施形態の筆記具と同様に、細側軸筒４０３と太側軸筒４０４とを合成樹脂製とし、前記細側軸筒３に軸筒外周側シール部４０３ｊを設けるとともに、前記太側軸筒４０４に軸筒内周側シール部４０４ｊを設け、軸筒内周側シール部４０４ｊに平坦なシール部４０４ｊ１、４０４ｊ２を２個所に形成し、前記軸筒外周側シール部４０３ｊに形成した凸部４０３ｊ１、４０３ｊ２を前記シール部４０４ｊ１、４０４ｊ２に圧接することで、該シール部４０４ｊ１、４０４ｊ２に前記凸部４０３ｊ１、４０３ｊ２による圧し跡を形成し、時間の経過とともに塑性変形させて、前記凸部に略相当する凹状のシール部を形成することができる。
【００７５】
これにより、細側軸筒４０３と太側軸筒４０４とを螺合により一体的に締結する際に、螺合締結終了時点で、凹状のシール部４０４ｊ１、４０４ｊ２と凸部４０３ｊ１、４０３ｊ２とが嵌合するときに、クリック音を発生するとともにクリック感を得ることができる。
【００７６】
さらに、第３実施形態では、シール部の構造を２列並設して構成したので、さらに、軸筒４０２内部の気密性を確実に保持できるとともに、明確なクリック音やクリック感を得ることができる。
また、第３実施形態によれば、軸筒４０２の細側軸筒４０３と太側軸筒４０４との接続部と、軸筒４０２内部のシール部との２位置同時に、クリック音やクリック感を発生させるようにしたので、前述した実施形態の筆記具よりも明確にシールポイントを確認することができる。
【００７７】
また、第３実施形態によれば、前記太側軸筒４０４の軸筒内周側シール部４０４ｊを平坦な円筒状に構成し、細側軸筒４０３と太側軸筒４０４とを螺合締結が終了した時点で、軸筒外周側シール部４０３ｊの凸部４０３ｊ１、４０３ｊ２により軸筒内周側シール部４０４ｊの平坦部に凹状のシール部を形成するようにしたので、前述した実施形態の例と同様に、部品製作時に、軸筒内周側シール部に凹状のシール部またはシール溝を形成する必要がないので、製造工程を削減できるとともに、製造コストの低減を図ることができる。
【００７８】
尚、第３実施形態では、軸筒４０２のシール部の構成は、細側軸筒４０３側の軸筒外周側シール部４０３ｊに凸部を形成し、太側軸筒４０４側の軸筒内周側シール部４０４ｊに平坦部を形成して、軸筒外周側シール部４０３ｊと前記軸筒内周側シール部４０４ｊとを圧接することで、軸筒内周側シール部４０４ｊに前記軸筒外周側シール部４０３ｊに形成された凸部に相当する形状の凹部を形成するようにしているが、本発明は、これに限定されるものではなく、軸筒外周側シール部４０３ｊに平坦に形成し、前記軸筒内周側シール部４０４ｊに凸部を形成するようにしたものであっても良い。また、凸部が形成されたシール部とは別のシール部に、予め該凸部に略相当する形状の凹部を形成するようにしたものであっても良い。
【００７９】
また、本発明の筆記具の構成は、前述した図示例にのみ限定されるものではなく、本発明の要旨を逸脱しない範囲内において種々変更を加え得ることは勿論である。
【００８０】
【発明の効果】
以上、説明したように本発明の請求項１〜５記載の筆記具によれば、簡単な構造で軸筒の分割、締結を可能にするとともに、軸筒内の気密性を保つことができ、且つ軸筒の締結終了時にクリック音やクリック感を生じさせて、シール操作の終了を確認できるという
優れた効果を奏する。
【００８１】
詳しくは、分割可能な軸筒内部に中綿を収容して連続筆記が可能な筆記具において、軸筒を合成樹脂製で形成し、該軸筒内部の気密性を保持するための軸筒内周側シール部または軸筒外周側シール部の何れか一方のシール部に、円周方向全周に亘り凸部を連続的に形成して、分割された軸筒のネジ部を完全に締結してシール部を圧接した状態に保ち、時間の経過により、前記凸部と当接する他方の軸筒のシール部に合成樹脂の塑性変形を生じさせことで、前記凸部と当接する部位に該凸部に略相当する変形跡、すなわち凹状のシール部を形成することができる。
これにより、軸筒の螺合締結終了にシールポイントまで締めたことを確認できるクリック感やクリック音を得ることができる。また、部品製造時に軸筒のシール部に凹部を形成する必要が無いため、製造工程を削減できるとともに、製造コストの低減を図ることができ、さらに、正確な位置、つまり軸筒の螺合締結が終了した位置に確実に凹部を形成することができる。
【００８２】
また、軸筒のシール部の構成として、軸筒内部で当接するとともに嵌合する別体のシール部に各々凸部と凹部とを予め設けることにより、軸筒内部の収容部の気密性を保持するシール部を確実に構成できるとともに、組立当初から軸筒の螺合締結終了にシールポイントまで締めたことを確認できるクリック感やクリック音を得ることができる。
【００８３】
さらに、雄ネジ部が形成される一方の軸筒の軸外周部と、雌ネジ部が形成される他方の軸筒の軸筒内周部との螺合終了位置に、各々凸部を形成し、螺合締結される各々の軸筒の雄ネジ部と雌ネジ部との螺合終了時に、前記凸部同士が当接して乗り越えることでクリック音を発生するようにしたので、軸筒の最後の回転で螺合終了を確認することができる。
【００８４】
また、軸筒の螺合終了時にシール部より発生するクリック音と、分割された各々の軸筒に形成された凸部が当接して乗り越えることで発生するクリック音とにより、よりはっきりとしたクリック感を得ることができる。
さらに、軸筒を螺合締結するためのネジ部を多条ネジとすることで、ネジの回転当たりの軸心方向への移動量を大きくすることができるので、ネジ締結のネジ回転の最終回のみに、大きなクリック感を得ることができる。
以上に示すような優れた効果を奏する。
【図面の簡単な説明】
【図１】本発明の第１実施形態に係るダブルタイプの中綿式筆記具の全体構成を示す側面断面図である。
【図２】前記筆記具の軸筒の構成を示す側面断面図である。
【図３】図１および図５のＡ部のシール部を示す部分拡大図である。
【図４】前記シール部の構成を示す部分拡大図である。
【図５】シングルタイプの中綿式筆記具の全体構成を示す側面断面図である。
【図６】本発明の第２実施形態に係る筆記具のシール部の構成を示す部分拡大図である。
【図７】前記シール部の変形例２を示す部分拡大図である。
【図８】本発明の第３実施形態に係る筆記具の全体構成を示す側面断面図である。
【図９】前記筆記具の細側軸筒の構成を示す斜視図である。
【図１０】前記筆記具の太側軸筒の構成を示す斜視図である。
【図１１】（ａ）は前記筆記具の細側軸筒の構成を示す側面断面図、（ｂ）は（ａ）のＢ部の凸部の詳細を示す部分拡大図である。
【図１２】（ａ）は前記筆記具の太側軸筒の構成を示す側面断面図、（ｂ）は（ａ）のＣ部の平坦部の詳細を示す部分拡大図である。
【図１３】（ａ）は前記筆記具の太側軸筒端部の構成を示す正面図、（ｂ）は（ａ）のＤ部の凸部の詳細を示す部分拡大図である。
【図１４】（ａ）は前記筆記具の軸筒に形成された凸部の位置関係を示す軸心方向断面図、（ｂ）は（ａ）のＥ部の凸部の位置関係を示す部分拡大図である。
【符号の説明】
１、１００、４００  筆記具
２、１０２、２０２、３０２、４０２  軸筒
３、２０３、３０３、４０３、４０４  細側軸筒
３ａ、４０３ａ  細側端部
３ｂ、４ｂ、４０３ｂ、４０４ｂ  胴部
３ｃ、２０３ｃ、４０３ｃ  雄ネジ部
３ｄ、４ｄ、４０４ｆ  収容部
３ｆ  先端側内部空間
３ｈ  凹部
３ｊ、２０３ｊ、３０３ａ  軸筒外周側シール部
３ｊ１、２０３ｊ１、４０３ｊ１、４０３ｊ２  凸部
４０３ｄ、４０４ｄ  凸部
３ｋ、４０３ｋ  締結部
４、２０４、３０４、４０４  太側軸筒
４ａ、４０４ａ  太側端部
４ｃ、２０４ｃ、４０４ｃ  雌ネジ部
４ｊ、２０４ｊ、３０４ａ、４０４ｊ  軸筒内周側シール部
４ｊ１、４０４ｊ１、４０４ｊ２  シール部
６  中綿
７、１０７  収容部
２０４ｊ１  凹状のシール部
４０３ｍ  当接面
４０４ｍ  端部
【図１】
0004748897.tif 000002
【図２】
0004748897.tif 000003
【図３】
0004748897.tif 000004
【図４】
0004748897.tif 000005
【図５】
0004748897.tif 000006
【図６】
0004748897.tif 000007
【図７】
0004748897.tif 000008
【図８】
0004748897.tif 000009
【図９】
0004748897.tif 000010
【図１０】
0004748897.tif 000011
【図１１】
0004748897.tif 000012
【図１２】
0004748897.tif 000013
【図１３】
0004748897.tif 000014
【図１４】
0004748897.tif 000015